(57)【要約】【課題】  高いシールド性を有するシールド扉を提供する。【解決手段】  シールド扉は、枠１２と、枠１２に開閉可能に装着された扉１４を備えている。扉１４には、電磁波をシールドする層３０、３１が設けられている。そのシールド層３０、３１には、ギャップ部７３が形成されている。扉１４内または枠１２内には、ギャップ部７３に隣接して電磁波減衰用の空間７７が設けられている。シールド層３０、３１の電気抵抗はギャップ部７３の電気抵抗よりも小さく、かつシールド層３０、３１のギャップ部端部４２、４４が電磁波減衰用空間７７に向いている。【選択図】  図２
2006060036.tif 000002
【特許請求の範囲】
【請求項１】
枠と、
枠に開閉可能に装着された扉を備え、
扉には、電磁波をシールドする層が設けられ、
そのシールド層には、ギャップ部が形成されており、
扉内または枠内には、ギャップ部に隣接して電磁波減衰用の空間が設けられ、
シールド層の電気抵抗はギャップ部の電気抵抗よりも小さく、かつシールド層のギャップ部端部が電磁波減衰用空間に向いていることを特徴とするシールド扉。
【請求項２】
枠には、電磁波をシールドする層が設けられ、
枠または扉には、扉を閉じたときに枠と扉との間をシールするガスケットが装着されており、
ガスケットは、枠のシールド層と扉のシールド層を電気的に導通させることを特徴とする請求項１に記載のシールド扉。
【請求項３】
枠にガスケットが装着されており、
扉を閉じたときに、ギャップ部の少なくとも一部をガスケットが閉塞することを特徴とする請求項２に記載のシールド扉。
【請求項４】
シールド層は、扉表面を主にシールドする表面側部材と、扉裏面を主にシールドする裏面側部材を備え、
表面側部材の端部と裏面側部材の端部との間に隙間が設けられ、その隙間がギャップ部として機能することを特徴とする請求項１〜３のいずれかに記載のシールド扉。
【請求項５】
表面側部材と裏面側部材との間に電気的な絶縁部材が配されていることを特徴とする請求項４に記載のシールド扉。
【請求項６】
電磁波減衰用空間の電磁波経路が屈曲および／または部分的に狭窄していることを特徴とする請求項１〜５のいずれかに記載のシールド扉。
【請求項７】
電磁波減衰用空間内に電磁波吸収体が設けられていることを特徴とする請求項１〜６のいずれかに記載のシールド扉。
【発明の詳細な説明】
【技術分野】
【０００１】
本発明は、電磁波をシールドするシールド扉に関するものである。
【背景技術】
【０００２】
電波暗室等の壁に設置されるシールド扉が知られている。シールド扉は、枠と、枠に開閉可能に装着された扉と、導電性を有するガスケットを備えている。扉には、シールド層が設けられている。扉が閉じられた状態では、扉のシールド層は、ガスケットと枠を介して外部と導通される（アースされる）。シールド層に電磁波が当たると、電磁波の一部は反射されるとともに、一部は電流としてシールド層に誘導される。扉のシールド層に誘導された電流は、ガスケットと枠を介して外部に流れ、このことによってシールド扉のシールド性が確保される。このようなシールド扉は、例えば、特許文献１に記載されている。
【０００３】
【特許文献１】特開２００２−１１１２６９号公報
【発明の開示】
【発明が解決しようとする課題】
【０００４】
シールド層に誘導された電流の一部は、再び電磁波として外部に放射されてしまうことがある。シールド層から電磁波が外部に放射されると、シールド扉のシールド性が低下してしまう。
近年、シールド扉のシールド性に対する要求がますます高まっている。本発明は、その要求に対応するためになされたものであり、高いシールド性を有するシールド扉を提供することを課題とする。
【課題を解決するための手段】
【０００５】
本発明のシールド扉は、枠と、枠に開閉可能に装着された扉を備えている。扉には、電磁波をシールドする層が設けられている。そのシールド層には、ギャップ部が形成されている。扉内または枠内には、ギャップ部に隣接して電磁波減衰用の空間が設けられている。シールド層の電気抵抗はギャップ部の電気抵抗よりも小さく、かつシールド層のギャップ部端部が電磁波減衰用空間に向いている。
このシールド扉のシールド層には、ギャップ部が形成されている。シールド層のギャップ部端部は、電磁波減衰用空間に向いている。シールド層に電磁波が当たると、シールド層に電流が誘導される。シールド層にギャップ部が形成されていると、シールド層に誘導された電流が、ギャップ部端部から電磁波として放射されやすくなる。シールド層のギャップ部端部が電磁波減衰用空間に向いていると、ギャップ部端部から放射された電磁波が電磁波減衰用空間によって減衰する。よって、本発明のシールド扉によれば、高いシールド性能を実現することができる。
なお、ここで言うギャップ部とは、シールド層よりも電気抵抗が大きい電気的ギャップを意味する。従って、シールド層に隙間を形成する形態のみならず、シールド層に電気抵抗が大きい部材を配する形態も含まれる。
【０００６】
上記のシールド扉において、枠には、電磁波をシールドする層が設けられ、枠または扉には、扉を閉じたときに枠と扉との間をシールするガスケットが装着されており、ガスケットは、枠のシールド層と扉のシールド層を電気的に導通させることが好ましい。
このように構成されたシールド扉によれば、電磁波が当たることによって扉のシールド層に誘導された電流を、ガスケットと枠のシールド層を介して外部に流すことができる。従って、シールド扉のシールド性能がより高くなる。
【０００７】
上記のシールド扉において、枠にガスケットが装着されており、扉を閉じたときに、ギャップ部の少なくとも一部をガスケットが閉塞することが好ましい。
ギャップ部の少なくとも一部をガスケットが閉塞すると、電磁波減衰用空間内で反射した電磁波がギャップ部から外に漏れてしまうのを防止できる。よって、シールド扉のシールド性がより向上する。
【０００８】
上記のシールド扉において、シールド層は、扉表面を主にシールドする表面側部材と、扉裏面を主にシールドする裏面側部材を備え、表面側部材の端部と裏面側部材の端部との間に隙間が設けられ、その隙間がギャップ部として機能することが好ましい。
このシールド扉によれば、表面側部材の端部と裏面側部材の端部との間に設けられた隙間がギャップ部として機能する。
【０００９】
上記のシールド扉において、表面側部材と裏面側部材との間に電気的な絶縁部材が配されていることが好ましい。
電磁波によって誘導された電流は、極力狭い範囲に止まることが望ましい。電流が広い範囲に拡がると、その拡がった部分の隙間部や折れ曲がり部から電磁波が放射されてしまうからである。上述のシールド扉は、表面側部材と裏面側部材との間に電気的な絶縁部材が配されている。従って、絶縁部材が表面側部材と裏面側部材の一方から他方に電流が流れるのを抑制する。よって、シールド扉のシールド性能が向上する。
【００１０】
上記のシールド扉において、電磁波減衰用空間の電磁波経路が屈曲および／または部分的に狭窄していることが好ましい。
電磁波減衰用空間の電磁波経路が屈曲および／または部分的に狭窄していると、その部分で電磁波が減衰される。
【００１１】
上記のシールド扉において、電磁波減衰用空間内に電磁波吸収体が設けられていることが好ましい。
電磁波減衰用空間内に電磁波吸収体が設けられていると、電磁波吸収体によって電磁波が減衰される。
【発明を実施するための最良の形態】
【００１２】
本発明のシールド扉に係る一実施形態について、図面を参照しながら説明する。
シールド扉１０は、電波暗室の壁に設置され、電波暗室から外部に電磁波を漏洩するのと、外部から電波暗室に電磁波が入り込むのを防止する。図１は、シールド扉１０を電波暗室の室外側（表側）から見た正面図である。図１に示すように、シールド扉１０は、枠１２と、扉１４を備えている。枠１２は、側枠１２ａ、側枠１２ｂ、上枠１２ｃ、下枠１２ｄを有している。枠１２は、金属製（例えば、スチール製）であり、電波暗室の壁と床を介して外部にアースされている。
扉１４は、上ヒンジ１５と下ヒンジ１６を介して枠１２に開閉可能に装着されている。下ヒンジ１６は、電話ボックスに採用されているようなオートヒンジであり、扉１４を閉位置に付勢する。扉１４には、取っ手１７が装着されている。
【００１３】
図２に示すように、側枠１２ａと側枠１２ｂは、板状の素材を曲げ加工することによって形成されている。枠１２ａ、１２ｂ内にはロックウールが充填されている。側枠１２ａには、面２０が形成されている。面２０には、断面がコの字状の第１チャンネル材２１がスクリュウ（図示省略）を用いて装着されている。第１チャンネル材２１は、上下方向に延びている。第１チャンネル材２１の内側には、第１ガスケット２２と第２ガスケット２３が接着されている。ガスケット２２、２３は、図３に示す形状を有している（図３は、ガスケットの長さを短か目に図示している）。ガスケット２２、２３には、シールドガスケットを用いることができる。シールドガスケットは、芯材（例えば、ウレタンフォーム）の表面に導電性コーティング（例えば、シルバーコーティング）を施すことによって導電性を確保している。ガスケット２２、２３に挟まれて、第３ガスケット２４が接着されている。第３ガスケット２４にも、シールドガスケットを用いることができる。
側枠１２ａと同様に、側枠１２ｂには、表側に対向する面２５が形成されている。面２５には、第２チャンネル材２６が装着されている。第２チャンネル材２６の内側には、第４ガスケット２７と第５ガスケット２８が接着されている。第４ガスケット２７と第５ガスケット２８も、図３に示す形状を有している。第４ガスケット２７と第５ガスケット２８に挟まれて、第６ガスケット２９が接着されている。ガスケット２７、２８、２９には、シールドガスケットを用いることができる。
チャンネル材２１、２６は金属製（例えば、スチール）である。
【００１４】
扉１４は、表面板３０、裏面板３１、内部部材３２〜３８、絶縁体３９、４０、電波吸収体４７、４８、ガスケット６６、６７を備えている。以下においては、図１の左側を「一方側」、右側を「他方側」と呼ぶ。
表面板３０は、板状の素材を曲げ加工して形成されている。扉１４の一方側側部の表面板３０内には、略コの字状に形成された第１内部部材３２が取り付けられている。扉１４の他方側側部の表面板３０内には、コの字状に形成された第６内部部材３７と第７内部部材３８が取り付けられている。第６内部部材３７と第７内部部材３８の裏側の面には、アングル４６が取り付けられている。
表面板３０の裏面には、コの字状に形成された、第２内部部材３３、第３内部部材３４、第４内部部材３５、第５内部部材３６が取り付けられている。表面板３０の一方側端部４２は、扉１４内に向けて折り曲げられている。アングル４６の端部４３も、扉１４内に向けて折り曲げられている。表面板３０、裏面板３１、内部部材３２〜３８、アングル４６は金属製（例えば、スチール製）である。
第１絶縁体３９は、板状に形成されており、内部部材３３、３４、３５の裏側の面に取り付けられている。第２絶縁体４０も、同じく板状に形成されており、内部部材３６の裏側の面に取り付けられている。絶縁体３９、４０は、例えば、不燃処理を施した木材から製作する。第１電波吸収体４７は板状に形成されており、第１絶縁体３９の裏面に取り付けられている。第２電波吸収体４８も板状に形成されており、第２絶縁体４０の裏面に取り付けられている。電波吸収体４７、４８は、例えば、ゴムフェライトやフェルトから製作する。
【００１５】
裏面板３１は、板状素材を曲げ加工して形成されており、電波吸収体４７、４８の裏面に取り付けられている。裏面板３１の一方側端部４４は、扉１４内に向けて折り曲げられている。裏面板３１の他方側端部４５も、扉１４内に向けて折り曲げられている。
表面板３０の一方側端部４２と、裏面板３１の一方側端部４４は、第１ギャップ部７３を形成する。アングル４６の端部４３、裏面板３１の他方側端部４５は、第２ギャップ部７４を形成する。
裏面板３１の裏面には、吸音体４１が装着されている。
扉１４の裏側にも、表側と同様に取っ手１８が装着されている。扉１４内の空間には、ロックウールが充填されている。ロックウールが充填されていることで、扉１４の遮音性と断熱性が向上している。
扉１４が閉じられた状態では、第１ガスケット２２は、表面板３０の一方側端部４２の近傍に接触する。第２ガスケット２３は、裏面板３１の一方側端部４４の近傍に接触する。第４ガスケット２７は、裏面板３１の他方側端部４５の近傍に接触する。第５ガスケット２８は、アングル４６の端部４３の近傍に接触する。
【００１６】
図４に示すように、上枠１２ｃには、面５０が形成されている。面５０には、断面がコの字状に形成された第３チャンネル材５１がスクリュウ（図示省略）によって取り付けられている。第３チャンネル材５１は、水平方向に延びている。第３チャンネル材５１の内側には、第７ガスケット５２と第８ガスケット５３が接着されている。第７ガスケット５２と第８ガスケット５３は、図３に示す形状を有している。第７ガスケット５２と第８ガスケット５３に挟まれて、第９ガスケット５４が接着されている。ガスケット５２、５３、５４には、シールドガスケットを用いることができる。下枠１２ｄの上面５５は、床面５６の高さと一致するように配置されている。下枠１２ｄの上面５５には、金属製のテーパ部材５７が取り付けられている。
第３チャンネル材５１の一方側端部は、第１チャンネル材２１の上端部と接合されている。第３チャンネル材５１の他方側端部は、第２チャンネル材２６の上端部と接合されている。すなわち、チャンネル材２１、２６、５１は、枠１２の３辺をなす側枠１２ａ、上枠１２ｃ、側枠１２ｂに沿って連続している。チャンネル材２１、２６、５１を１つのチャンネル材から製作することもできる。
上枠１２ｃ、下枠１２ｄ内には、ロックウールが充填されている。上述したように、側枠１２ａ内と側枠１２ｂ内にもロックウールが充填されている。枠１２ａ、１２ｂ、１２ｃ、１２ｄ内にロックウールが充填されていることで、枠１２の遮音性と断熱性が向上している。
【００１７】
扉１４の上端部の表面板３０内には、断面がコの字状に形成された、第８内部部材６０と第９内部部材６１が取り付けられている。第８内部部材６０と第９内部部材６１の裏側の面には、アングル５８が取り付けられている。アングル５８の端部７０は、扉１４内に向けて折り曲げられている。裏面板３１の上端部７１も、扉１４内に向けて折り曲げられている。アングル５８の端部７０と、裏面板３１の上端部７１は、第３ギャップ部７５を形成する。
扉１４の下端部の表面板３０内には、断面がコの字状の形成された第１０内部部材６２が取り付けられている。第１０内部部材６２内には、第３電波吸収体６３が装着されている。第３電波吸収体６３は、例えば、ウレタン製とすることが好ましい。
表面板３０の下部表側には、プレート６４が固定されている。裏面板３１の下部裏側には、プレート６５が固定されている。第１０ガスケット６６は、第３電波吸収体６３とプレート６４内面に接着されている。第１１ガスケット６７は、第３電波吸収体６３とプレート６５内面に接着されている。ガスケット６６、６７は、シールドガスケットである。
表面板３０には、シリンダー錠６８が装着されている。裏面板３１には、サムターン錠６９が装着されている。
扉１４が閉じられた状態では、第７ガスケット５２は、アングル５８の端部７０の近傍に接触する。第８ガスケット５３は、裏面板３１の上端部７１の近傍に接触する。第１０ガスケット６６は、下枠１２ｄの上面５５に接触する。第１１ガスケット６７は、テーパ部材５７と接触する。
ガスケット２２、２３、２７、２８、５２、５３を扉１４側に装着し、ガスケット２２、２３、２７、２８、５２、５３が枠１２に接触する構成としてもよい。
【００１８】
電波暗室内からの電磁波が裏面板３１に当たると、裏面板３１に電流が誘導される。裏面板３１に誘導された電流の一部は、裏面板３１の下部に固定されたプレート６５、第１１ガスケット６７、第１１ガスケット６７と接触しているテーパ部材５７、下枠１２ｄを経由して外部に流れてゆく。また、裏面板３１に誘導された電流の一部は、第１ギャップ部７３の一方側端部４４、第２ギャップ部７４の他方側端部４５、第３ギャップ部７５の上端部７１から扉１０の内部空間に向かって電磁波として放射される。扉１０の内部空間は、放射された電磁波の減衰用空間として機能する。
この電磁波減衰用空間の機能について、第１ギャップ部７３の一方側端部４４から電磁波が放射される場合を例として、具体的に説明する。第１ギャップ部７３の一方側端部４４から放射された電磁波は、第１内部部材３２、表面板３０、第２内部部材３３、第１絶縁体３９によって囲まれた第１空間７７内で反射する。第１空間７７内に充填されているロックウールは、電磁波に影響を与えない。第１空間７７内で反射した電磁波は、図２に示す、第２内部部材３３と、第１電波吸収体４７に挟まれたルートＡを通過する。第１絶縁体３９が絶縁体なので、電磁波はルートＡを容易に通過する。電磁波は、ルートＡが狭くなっているので、第２内部部材３３と第１電波吸収体４７との間で反射を繰り返しながら進行する。この課程で、電磁波は、第１電波吸収体４７に吸収されて減衰する。なお、第１電波吸収体４７が設けられていなくても、ルートＡが狭く形成されていることによって、電磁波減衰効果を奏することができる。
電磁波減衰用空間は、枠１２内に設けることもできる。
【００１９】
ルートＡを通過することで減衰した電磁波は、表面板３０、第２内部部材３３、第１絶縁体３９、第３内部部材３４によって囲まれた第２空間７８に入り込む。第２内部空間７８に入り込んだ電磁波は、その空間内で反射してからルートＢを通過する。ルートＢを通過した電磁波は、ルートＡで奏されたのと同じ効果によって減衰する。ルートＢを通過した電磁波は、ルートＣを通過してより減衰する。このようにして、第１ギャップ部７３の一方側端部４４から放射された電磁波は、扉１４内で効果的に減衰される。
以上説明したようにして、電磁波が裏面板３１に当たって誘導された電流は、シールド扉１０の外部に流れ、かつ電磁波として扉１４内に放射された分はその内部で減衰することによって、電波暗室から外部に電磁波が漏洩するのが防止される（シールドされる）。
【００２０】
電波暗室外からの電磁波が表面板３０に当たると、表面板３０に電流が誘導される。表面板３０に誘導された電流の一部は、表面板３０の下部に固定されたプレート６４、第１０ガスケット６６、第１０ガスケットと接触している下枠１２ｄを経由して外部に流れる。さらに、表面板３０に誘導された電流の一部は、第１ギャップ部７３の一方側端部４２、第２ギャップ部７４の端部４３、第３ギャップ部７５の端部７０から扉１０の内部空間に向かって電磁波として放射される。これら端部４２、４３、７０から放射された電磁波は、既に説明した裏面板３１の端部４４、４５と、アングル５８の端部７０から放射された電磁波と同様に、扉１４内で減衰する。
従来のシールド扉では、扉に誘導された電流を枠に流すために、枠と扉との間をシールするシールドガスケットの弾性を大きくし、枠に対して扉を強く押しつけることによって、枠と扉の電気的導通を大きく確保していた。枠に対して扉を強く押しつけるためには、使用者によって操作されるロックハンドルを設ける必要がある。このようなロックハンドルは、操作力や操作ストロークが大きくならざるを得ず、操作者に負担をかけてしまう。
本実施形態のシールド扉１０は、扉１４内で電磁波を効果的に減衰することができる。このため、シールドガスケットの弾性を弱くし、枠１２に対して扉１４を強く押しつけなくても、シールド扉１０全体としては、従来よりも優れたシールド性能を発揮することができる。枠１２に対して扉１４を強く押しつける必要がないと、ロックハンドルを設けずに、既に説明した下ヒンジ１６のようなオートヒンジによって、扉１４を閉位置に保つことができる。扉１４を開くときには、取っ手１７を引くか、取っ手１８を押せばよい。扉が開いた状態で、取っ手１７、１８から手を離せば、扉１４は自動的に閉まる。従って、本実施形態のシールド扉１０は、扉１４の開閉操作性の点でも、従来のものより優れている。
【００２１】
既に説明したように、第１チャンネル材２１は金属製なので導電性を有しており、また、第１ガスケット２２と第２ガスケット２３と第３ガスケット２４は導電性を有するシールドガスケットである。従って、第１ギャップ部７３の表面板３０の一方側端部４２近傍と、裏面板３１の一方側端部４４近傍との間は、第１チャンネル材２１、ガスケット２２、２３、２４を介して電気的に導通される。このような電気的導通経路が形成されると、その部分がシールド層として機能し、第１空間７７内で反射した電磁波が第１ギャップ部７３から外部に漏れてしまうのが防止される。よって、電磁波は、扉１４内で確実に減衰する。また、第１チャンネル材２１、ガスケット２２、２３、２４が導電性を有していると、扉１４内に電磁波として放射されなかった電流は、枠１２を介して外部に流れ、これによってもシールド性が向上する。
同様に、第２ギャップ部７４のアングル４６の端部４３近傍と、裏面板３１の他方側端部４５近傍との間は、第２チャンネル材２６、ガスケット２７、２８、２９を介して電気的に導通され、その部分がシールド層として機能する。また、第３ギャップ部７５のアングル５８の端部７０近傍と、裏面板３１の上端部７１近傍との間は、第３チャンネル材５１、ガスケット５２、５３、５４を介して電気的に導通され、その部分がシールド層として機能する。
【００２２】
第１絶縁体３９と第２絶縁体４０が設けられているので、表面板３０に電磁波が当たって誘導された電流は、内部部材３３、３４、３５、３６を介して裏面板３１に流れない。同様に、裏面板３１に電磁波が当たって誘導された電流は、内部部材３３、３４、３５、３６を介して表面板３０に流れない。誘導された電流は、できるだけ狭い範囲に止まった方が、再び外部に放射される可能性が低くなる。例えば、第１絶縁体３９が設けられていない場合には、裏面板３１の裏面に電磁波が当たることによって誘導された電流は、内部部材３３、３４、３５を通過して表面板３０に流れる。表面板３０に流れた電流は、例えば、電流伝導経路の方向変化部位（例えば、図２の「Ｄ」部）から外部に電磁波として放射されてしまう。第１絶縁体３９と第２絶縁体４０が設けられていることによって、シールド扉１０のシールド性能がより向上している。
【００２３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００２４】
【図１】シールド扉の正面図。
【図２】図１のII−II線断面図。
【図３】ガスケットの斜視図。
【図４】図１のIV−IV線断面図。
【符号の説明】
【００２５】
１０：シールド扉
１２：枠、１２ａ：側枠、１２ｂ：側枠、１２ｃ：上枠、１２ｄ：下枠
１４：扉
１５：上ヒンジ
１６：下ヒンジ
１７、１８：取っ手
２０：面
２１：第１チャンネル材
２２：第１ガスケット
２３：第２ガスケット
２４：第３ガスケット
２５：面
２６：第２チャンネル材
２７：第４ガスケット
２８：第５ガスケット
２９：第６ガスケット
３０：表面板
３１：裏面板
３２：第１内部部材
３３：第２内部部材
３４：第３内部部材
３５：第４内部部材
３６：第５内部部材
３７：第６内部部材
３８：第７内部部材
３９：第１絶縁体
４０：第２絶縁体
４１：吸音体
４２：一方側端部
４３：端部
４４：一方側端部
４５：他方側端部
４６：アングル
４７：第１電波吸収体
４８：第２電波吸収体
５０：面
５１：第３チャンネル材
５２：第７ガスケット
５３：第８ガスケット
５４：第９ガスケット
５５：上面
５６：床面
５７：テーパ部材
５８：アングル
６０：第８内部部材
６１：第９内部部材
６２：第１０内部部材
６３：第３電波吸収体
６４、６５：プレート
６６：第１０ガスケット
６７：第１１ガスケット
６８：シリンダー錠
６９：サムターン錠
７０：端部
７１：上端部
７３：第１ギャップ部
７４：第２ギャップ部
７５：第３ギャップ部
７７：第１空間
【図１】
2006060036.tif 000003
【図２】
2006060036.tif 000004
【図３】
2006060036.tif 000005
【図４】
2006060036.tif 000006